(57)【要約】トランスミッションにおける変速動作を迅速に行なうとともにトルク抜けによる操縦者の不快感を軽減可能な車両用動力伝達システムを提供する。車両用動力伝達システム１００は、ＥＣＵ３００によって作動が制御されるエンジン１１０、クラッチ２１０およびトランスミッション２４０を備えている。クラッチ２１０およびトランスミッション２４０は、クラッチ駆動遊びＬ１およびシフト操作遊びＬ２，Ｌ３を介して連結されるシフトスピンドル２３０の回転駆動により作動を開始する。変速動作は、エンジン１１０での点火タイミングの遅延およびクラッチ２１０のリフトアップの開始によってトランスミッションに伝達される駆動力を低下させた後に、エンジン１１０での燃料供給カットおよびトランスミッション２４０のギアの抜き工程が実行される。このギアの抜き工程は、クラッチ２１０において駆動力が実質的に遮断される前に完了する。  図５
2013014748.tif 000002
【特許請求の範囲】
【請求項１】
車両に搭載されて燃料の燃焼によって駆動力を発生させるエンジンと、
前記エンジンによる前記駆動力によって回転駆動するメインシャフトと前記車両の駆動輪に連結されるカウンターシャフトとの間に互いに変速比の異なる複数の変速段を構成する複数のギア列が設けられて前記エンジンの回転速度を変速しつつ前記駆動力を前記駆動輪に伝達するトランスミッションと、
前記エンジンから伝達される前記駆動力によって回転駆動するフリクションプレートと前記トランスミッションに連結されて前記駆動力を受けるクラッチプレートとを密着および離隔させることによって前記エンジンの駆動力を前記トランスミッションに伝達および遮断するクラッチとを備えた車両用動力伝達システムにおいて、
前記トランスミッションの変速動作時における前記メインシャフトと前記カウンターシャフトの間の前記駆動力の遮断を開始する前に前記メインシャフトに伝達される前記エンジンからの前記駆動力を低下させる伝達駆動力低下手段を備え、
前記トランスミッションは、
前記伝達駆動力低下手段による前記メインシャフトへの前記駆動力の低下後かつ前記クラッチにおける前記駆動力の遮断が完了する前に前記メインシャフトと前記カウンターシャフトの間の前記駆動力の遮断を完了することを特徴とする車両用動力伝達システム。
【請求項２】
請求項１に記載した車両用動力伝達システムにおいて、
前記伝達駆動力低下手段は、
前記エンジンへの前記燃料の供給量を減じる、前記エンジンでの前記燃料への点火タイミングをずらす、および前記クラッチにおける前記フリクションプレートと前記クラッチプレートとの密着力を弱めるうちの少なくとも１つによって前記メインシャフトに伝達される前記エンジンからの前記駆動力を低下させることを特徴とする車両用動力伝達システム。
【請求項３】
請求項２に記載した車両用動力伝達システムにおいて、
前記伝達駆動力低下手段は、
前記クラッチにおける前記駆動力の遮断が完了する前に前記エンジンへの前記燃料の供給量を減じることを特徴とする車両用動力伝達システム。
【請求項４】
請求項２または請求項３に記載した車両用動力伝達システムにおいて、
前記伝達駆動力低下手段は、
前記エンジンへの前記燃料の供給量を減じる前に前記エンジンでの前記燃料への点火タイミングをずらすことを特徴とする車両用動力伝達システム。
【請求項５】
請求項１ないし請求項４のうちのいずれか１つに記載した車両用動力伝達システムにおいて、
外部からの変速操作に基づいて回転駆動するシフトスピンドルと、
前記シフトスピンドルから径方向に延びて設けられ、同シフトスピンドルと一体的に回転変位するクラッチリフターレバーおよびギアシフトアーム駆動レバーと、
前記クラッチにおける前記フリクションプレートと前記クラッチプレートとを密着および離隔させる固定クラッチリフターに連結されて前記クラッチリフターレバーとの間でクラッチ駆動遊びを介して連結される可動クラッチリフターと、
前記トランスミッションにおける前記ギア列を変更するためのシフトドラムを回転駆動するインデックスピンと前記ギアシフトアーム駆動レバーとの間に設けられて前記インデックスピンとの間および／または前記ギアシフトアーム駆動レバーとの間でシフト操作遊びを介して連結されるギアシフトアームとを備えることを特徴とする車両用動力伝達システム。
【請求項６】
請求項５に記載した車両用動力伝達システムにおいて、
前記クラッチ駆動遊びの量は、前記シフト操作遊びの量よりも少ないことを特徴とする車両用動力伝達システム。
【請求項７】
請求項５または請求項６に記載した車両用動力伝達システムにおいて、さらに、
前記ギアシフトアームと前記インデックスピンおよび／または前記ギアシフトアーム駆動レバーとの間の前記シフト操作遊びを詰めるためのプリロードスプリングを備えることを特徴とする車両用動力伝達システム。
【発明の詳細な説明】
【技術分野】
【０００１】
本発明は、自動二輪車や四輪バギー車などの自走式車両に搭載される車両用動力伝達システムに関する。
【背景技術】
【０００２】
従来から、自動二輪車や四輪バギー車などの自走式車両においては、エンジン（原動機）で発生した駆動力を駆動輪に伝達するために動力伝達装置が設けられている。動力伝達装置は、エンジンの回転駆動軸（クランクシャフト）に対して接続および切断しながら同回転駆動軸の回転数を変速しつつ駆動輪に伝達する機械装置であり、主としてクラッチとトランスミッションによって構成されている。ここで、クラッチとは、エンジンの回転駆動軸に対して接続および切断しながら同回転駆動軸の回転駆動力をトランスミッション側に伝達する機械装置である。また、トランスミッションとは、エンジンの回転駆動軸の回転数を複数の変速段で変速させて駆動輪側に伝達する機械装置である。【０００３】
このような動力伝達装置においては、トランスミッションにおける変速動作はできるだけ速やかに行なわれることが望まれる。このため、例えば、下記特許文献１には、トランスミッションの変速動作時にシフトドラムに対して回転方向に力を付与するプリロードを行なうことにより、クラッチが切れて駆動力の伝達が遮断された場合に直ちにシフトドラムを回転させてギアの切り替え、すなわち、変速段の切り替えを行なう動力伝達装置が開示されている。
【先行技術文献】
【特許文献】
【０００４】
【特許文献１】特開２００１−２８０４９３号公報
【０００５】
しかしながら、上記特許文献１に記載された動力伝達装置においては、クラッチが切れた後にトランスミッションにおける変速動作、すなわち、変速段を構成するギア列の変更工程が行われるため、変速動作に時間が掛かるととともにエンジンからの駆動力が駆動輪に伝達しない所謂トルク抜け時間が長く操縦者に不快感を与えるという問題があった。なお、この場合、ギア列の変更工程は、変速前の変速段を構成するギア列における駆動力の伝達状態を解消するギアの抜き工程と、変速後の変速段を構成するギア列を駆動力の伝達状態とするギアの連結工程とで構成されている。【０００６】
本発明は上記問題に対処するためなされたもので、その目的は、トランスミッションにおける変速動作を迅速に行なうとともに同変速動作時に操縦者に与える所謂トルク抜けによる不快感を軽減することができる車両用動力伝達システムを提供することにある。
【発明の概要】
【０００７】
上記目的を達成するため、請求項１に係る本発明の特徴は、車両に搭載されて燃料の燃焼によって駆動力を発生させるエンジンと、エンジンによる駆動力によって回転駆動するメインシャフトと車両の駆動輪に連結されるカウンターシャフトとの間に互いに変速比の異なる複数の変速段を構成する複数のギア列が設けられてエンジンの回転速度を変速しつつ駆動力を駆動輪に伝達するトランスミッションと、エンジンから伝達される駆動力によって回転駆動するフリクションプレートとトランスミッションに連結されて駆動力を受けるクラッチプレートとを密着および離隔させることによってエンジンの駆動力をトランスミッションに伝達および遮断するクラッチとを備えた車両用動力伝達システムにおいて、トランスミッションの変速動作時におけるメインシャフトとカウンターシャフトの間の駆動力の遮断を開始する前にメインシャフトに伝達されるエンジンからの駆動力を低下させる伝達駆動力低下手段を備え、トランスミッションは、伝達駆動力低下手段によるメインシャフトへの駆動力の低下後かつクラッチにおける駆動力の遮断が完了する前にメインシャフトとカウンターシャフトの間の駆動力の遮断を完了することにある。
【０００８】
このように構成した請求項１に係る本発明の特徴によれば、車両用動力伝達システムは、トランスミッションの変速動作時におけるメインシャフトとカウンターシャフトとの間の駆動力の伝達の遮断を開始する前にメインシャフトに伝達されるエンジンからの駆動力を低下させる伝達駆動力低下手段を備えるとともに、伝達駆動力低下手段によるメインシャフトへの駆動力の低下後であってかつクラッチにおける駆動力の伝達の遮断が完了する前にトランスミッションがメインシャフトとカウンターシャフトとの間の駆動力の伝達の遮断を完了する。すなわち、本発明に係る車両用動力伝達システムは、トランスミッションにおけるシフトアップやシフトダウンなどの変速動作時において、クラッチにおける駆動力の伝達状態に拘らずエンジンからの駆動力を低下させた状態でギアの変速動作を開始してクラッチにおける駆動力の伝達が遮断される前にトランスミッションにおける変速前の変速段を構成するギア列による駆動力の伝達状態を解消する。これにより、クラッチにおける駆動力の伝達を遮断した後にトランスミッションにおける変速動作を開始する従来の動力伝達装置に比べて迅速にトランスミッションにおける変速動作を完了することができるとともに、この変速動作時に操縦者に与える所謂トルク抜けによる不快感を軽減することができる。
【０００９】
また、請求項２に係る本発明の他の特徴は、前記車両用動力伝達システムにおいて、伝達駆動力低下手段は、エンジンへの燃料の供給量を減じる、エンジンでの燃料への点火タイミングをずらす、およびクラッチにおけるフリクションプレートとクラッチプレートとの密着力を弱めるうちの少なくとも１つによってメインシャフトに伝達されるエンジンからの駆動力を低下させることにある。
【００１０】
このように構成した請求項２に係る本発明の他の特徴によれば、車両用動力伝達システムにおける伝達駆動力低下手段は、エンジンへの燃料の供給量を減じる、エンジンでの燃料への点火タイミングをずらす、およびクラッチにおけるフリクションプレートとクラッチプレートとの密着力を弱めるうちの少なくとも１つによってメインシャフトに伝達されるエンジンからの駆動力を低下させている。これにより、車両用動力伝達システムは、簡易な構成によってメインシャフトに伝達されるエンジンからの駆動力を低下することができる。
【００１１】
また、請求項３に係る本発明の他の特徴は、前記車両用動力伝達システムにおいて、伝達駆動力低下手段は、クラッチにおける駆動力の遮断が完了する前にエンジンへの燃料の供給量を減じることにある。
【００１２】
このように構成した請求項３に係る本発明の他の特徴によれば、車両用動力伝達システムにおける伝達駆動力低下手段は、クラッチにおける駆動力の伝達の遮断が完了する前にエンジンへの燃料の供給量を減じている。これにより、クラッチにおける駆動力の伝達が遮断される前にメインシャフトに伝達されるエンジンからの駆動力が低下するため、トランスミッションにおける駆動力の伝達の遮断を円滑に行なうことができる。
【００１３】
また、請求項４に係る本発明の他の特徴は、前記車両用動力伝達システムにおいて、伝達駆動力低下手段は、エンジンへの燃料の供給量を減じる前にエンジンでの燃料への点火タイミングをずらすことにある。
【００１４】
このように構成した請求項４に係る本発明の他の特徴によれば、車両用動力伝達システムにおける伝達駆動力低下手段は、エンジンへの燃料の供給量を減じる前にエンジンでの燃料への点火タイミングをずらしている。これにより、エンジンへの燃料の供給量を減じることによる急激な駆動力の低下を防止しながらエンジンの駆動力を低下させることができため、車両の乗員への不快感を抑えながら円滑にトランスミッションにおける駆動力の伝達の遮断することができる。
【００１５】
また、請求項５に係る本発明の他の特徴は、前記車両用動力伝達システムにおいて、外部からの変速操作に基づいて回転駆動するシフトスピンドルと、シフトスピンドルから径方向に延びて設けられ、同シフトスピンドルと一体的に回転変位するクラッチリフターレバーおよびギアシフトアーム駆動レバーと、クラッチにおけるフリクションプレートとクラッチプレートとを密着および離隔させる固定クラッチリフターに連結されてクラッチリフターレバーとの間でクラッチ駆動遊びを介して連結される可動クラッチリフターと、トランスミッションにおけるギア列を変更するためのシフトドラムを回転駆動するインデックスピンとギアシフトアーム駆動レバーとの間に設けられてインデックスピンとの間および／またはギアシフトアーム駆動レバーとの間でシフト操作遊びを介して連結されるギアシフトアームとを備えることにある。
【００１６】
このように構成した請求項５に係る本発明の他の特徴によれば、車両用動力伝達システムは、外部からの変速操作により回転駆動するシフトスピンドルに対してクラッチおよびトランスミッションがそれぞれクラッチ駆動遊びおよびシフト操作遊びを介して連結されて駆動されるように構成されている。すなわち、クラッチを駆動するためのクラッチ駆動遊びの量とトランスミッションを駆動するためのシフト操作遊びの量とを適宜調整することにより、クラッチを作動させるタイミングとトランスミッションを作動させるタイミングを自由に設定することができる。これにより、簡単な構成で伝達駆動力低下手段を構成することができる。
【００１７】
また、請求項６に係る本発明の他の特徴は、前記車両用動力伝達システムにおいて、クラッチ駆動遊びの量は、シフト操作遊びの量よりも少ないことにある。
【００１８】
このように構成した請求項６に係る本発明の他の特徴によれば、車両用動力伝達システムは、クラッチ駆動遊びの量は、シフト操作遊びの量よりも少ない。このため、車両用動力伝達システムは、シフトスピンドルの回転駆動によって、先ず、クラッチが作動した後にトランスミッションが作動を開始する。これにより、トランスミッションの作動に先駆けてトランスミッションに伝達されるエンジンからの回転駆動力を低下させることができ、円滑にトランスミッションにおける駆動力の伝達の遮断を行なうことができる。
【００１９】
また、請求項７に係る本発明の他の特徴は、前記車両用動力伝達システムにおいて、さらに、ギアシフトアームとインデックスピンおよび／またはギアシフトアーム駆動レバーとの間のシフト操作遊びを詰めるためのプリロードスプリングを備えることにある。
【００２０】
このように構成した請求項７に係る本発明の他の特徴によれば、車両用動力伝達システムは、トランスミッションを駆動するためのシフト操作遊びの量がプリロードスプリングによって詰められている。これにより、トランスミッションは、シフトスピンドルの回転駆動後、直ちに変速動作が開始可能な状態となるとともに、エンジンから駆動力が低下して変速動作が可能、すなわち、変速前の変速段を構成するギア列による駆動力の伝達状態が解消可能な状態となった瞬間に直ちにギア列による駆動力の伝達状態の解消が実行される。これにより、より迅速にトランスミッションにおける変速動作を行なうことができる。
【図面の簡単な説明】
【００２１】
【図１】本発明に係る車両用動力伝達システムの全体構成の概略を模式的に示すブロック図である。
【図２】図１に示す動力伝達装置の内部を概略的に示す一部破断正面図に示す平面図である。
【図３】図２に示すＡ−Ａ線から見た動力伝達装置の要部の概略を模式的に示す断面図である。
【図４】図２に示す動力伝達装置におけるシフトアップ操作前の内部状態を模式的に示す一部破断平面図である。
【図５】図１に示す車両用動力伝達システムの変速段のシフトアップ動作時における動作過程を示すタイムチャートである。
【図６】図２に示す動力伝達装置のシフトアップ動作過程においてロストモーション終了時の内部状態を模式的に示す一部破断平面図である。
【図７】図２に示す動力伝達装置のシフトアップ動作時においてギアの抜き工程完了時の内部状態を模式的に示す一部破断平面図である。
【図８】本発明の変形例に係る車両用動力伝達システムにおける動力伝達装置であって図２に示す破線円内の構成の概略を模式的に示す断面図である。
【図９】図８に示す変形例に係る車両用動力伝達システムの変速段のシフトアップ動作時における動作過程を示すタイムチャートである。
【発明を実施するための形態】
【００２２】
以下、本発明に係る車両用動力伝達システムの一実施形態について図面を参照しながら説明する。図１は、本発明に係る車両用動力伝達システム１００の全体構成の概略を模式的に示すブロック図である。なお、本明細書において参照する各図は、本発明の理解を容易にするために一部の構成要素を誇張して表わすなど模式的に表している。このため、各構成要素間の寸法や比率などは異なっていることがある。この車両用動力伝達システム１００は、二輪自動車（所謂オートバイ）において原動機であるエンジンで発生させた回転駆動力を駆動輪に伝達する機械装置群であり、二輪自動車におけるエンジンの周辺（例えば、着座シートや燃料タンクの下方）に設けられる。
【００２３】
（車両用動力伝達システム１００の構成）
車両用動力伝達システム１００は、エンジン１１０を備えている。エンジン１１０は、図示しない車両に搭載されて燃料の燃焼によって回転駆動力を発生させる原動機である。具体的には、エンジン１１０は、筒状に形成されたシリンダ１１１内に燃料と空気とからなる混合気を導入するとともに、この混合気を点火プラグ１１２によって点火して爆発させることによりピストン１１３をシリンダ１１１内で往復運動させてピストン１１３に連結さえるクランクシャフト１１４に回転駆動力を発生させる所謂レシプロエンジンである。本実施形態においては、エンジン１１０は、所謂４ストロークエンジンを想定しているが、所謂２ストロークエンジンであってもよいことは当然である。
【００２４】
このエンジン１１０における燃焼室を構成するシリンダ１１１には、吸気バルブ１１５を介して吸気管１１６が接続されている。吸気管１１６は、シリンダ１１１内に混合気を供給するための配管であり、シリンダ１１１内に供給する空気量を調整するスロットルバルブ１１７および同シリンダ１１１内に燃料を霧状にして供給（噴射）するインジェクタ１１８をそれぞれ備えている。これらのうち、点火プラグ１１２およびインジェクタ１１８は後述するＥＣＵ３００によって作動がそれぞれ制御されるとともに、スロットルバルブ１１７は車両の操縦者による手動操作によって作動する。
【００２５】
エンジン１１０におけるクランクシャフト１１４には、プライマリードライブギア１１４ａを介して動力伝達装置２００が連結されている。動力伝達装置２００は、エンジン１１０により発生された回転駆動力を複数の変速段で変速して伝達する機械装置であり、主として、クラッチ２１０およびトランスミッション２４０によって構成されている。
【００２６】
クラッチ２１０は、エンジン１１０で発生させた回転駆動力の伝達経路上におけるエンジン１１０とトランスミッション２４０との間に配置されてエンジン１１０で発生させた回転駆動力をトランスミッション２４０に対して伝達および遮断を行なう機械装置である。このクラッチ２１０は、詳しくは、図２ないし図４に示すように、トランスミッション２４０から軸状に延びるメインシャフト２４１の一方（図示右側）の端部側に設けられており、図示しない摩擦材を備えたフリクションプレート２１１と鋼板製のクラッチプレート２１２とが交互に複数枚ずつ配置された状態でクラッチケース２０１内に回転可能な状態でそれぞれ収容されて構成されている。この場合、フリクションプレート２１１はクラッチシェル２１３に、クラッチプレート２１２はクラッチハブ２１４にそれぞれ嵌め込まれた状態で保持されている。
【００２７】
これらのうち、フリクションプレート２１１を保持するクラッチシェル２１３は、前記プライマリードライブギア１１４ａに噛み合うプライマリードリブンギア２１５に一体的に固定されてプライマリードライブギア１１４ａ、すなわち、クランクシャフト１１４とともに一体的に回転駆動する。また、クラッチプレート２１２を保持するクラッチハブ２１４は、メインシャフト２４１に一体的に連結されており、メインシャフト２４１およびクラッチプレート２１２とともに一体的に回転駆動する。
【００２８】
また、交互に配置されたフリクションプレート２１１およびクラッチプレート２１２の外側には、クラッチスプリング２１６の弾性力によってフリクションプレート２１１とクラッチプレート２１２とを挟んだ状態で押圧して密着させる一対のプレッシャプレート２１７ａ，２１７ｂがそれぞれ設けられている。これらのプレッシャプレート２１７ａ，２１７ｂのうち、プレッシャプレート２１７ｂの外側（図示右側）には、可動クラッチリフター２２１を介して固定クラッチリフター２２０が対向配置されている。固定クラッチリフター２２０は、後述するシフトスピンドル２３０の回転駆動に連動して構成部品の一部が回転することにより可動クラッチリフター２２１を介してプレッシャプレート２１７ｂをクラッチスプリング２１６の弾性力に抗する方向に押圧する機械装置である。また、可動クラッチリフター２２１は、固定クラッチリフター２２０における前記回転部品に一体的に固定されて同固定クラッチリフター２２０の外側に延びるバー部材である。
【００２９】
すなわち、クラッチ２１０は、フリクションプレート２１１とクラッチプレート２１２とが密着することによりクラッチシェル２１３とクラッチハブ２１４とが一体的に回転駆動してエンジン１１０の回転駆動力がトランスミッション２４０に伝達される。また、クラッチ２１０は、固定クラッチリフター２２０が可動クラッチリフター２２１を介してプレッシャプレート２１７ｂを押圧してクラッチスプリング２１６の弾性力を弱めることによるフリクションプレート２１１とクラッチプレート２１２との密着状態の解消によってトランスミッション２４０に対するエンジン１１０の回転駆動力を遮断する。
【００３０】
このクラッチ２１０における固定クラッチリフター２２０には、可動クラッチリフター２２１およびクラッチリフターレバー２２２を介してシフトスピンドル２３０が連結されている。クラッチリフターレバー２２２は、可動クラッチリフター２２１とシフトスピンドル２３０とを連結するバー部材であり、一方の端部が可動クラッチリフター２２１に連結されるとともに他方の端部がシフトスピンドル２３０に一体的に固定されている。
【００３１】
これらの可動クラッチリフター２２１とクラッチリフターレバー２２２とは、クラッチ駆動遊びＬ１を介して遊動的に連結されている。より具体的には、可動クラッチリフター２２１の端部には貫通孔２２１ａが形成されているとともに、クラッチリフターレバー２２２の端部には貫通孔２２１ａの孔径より小径のボス２２２ａが突出した状態で設けられている。そして、クラッチリフターレバー２２２の端部に形成されたボス２２２ａが可動クラッチリフター２２１の端部に形成された貫通孔２２１ａ内に可動的に嵌め込まれている。なお、クラッチ駆動遊びＬ１は、トランスミッション２４０のシフトアップおよびシフトダウンの各変速動作に対応してボス２２２ａの両側に形成されている。
【００３２】
シフトスピンドル２３０は、車両の操縦者によるシフトアップまたはシフトダウンの変速操作に基づいてそれぞれ対応する回転方向にそれぞれ回転駆動する軸体であり、一方の端部がクラッチリフターレバー２２２および可動クラッチリフター２２１を介して固定クラッチリフター２２０に連結されるとともに、他方の端部がシフトスピンドル駆動モータ２３１に連結されている。シフトスピンドル駆動モータ２３１は、ＥＣＵによる作動制御により回転駆動する電動機である。すなわち、固定クラッチリフター２２０は、シフトスピンドル駆動モータ２３１によりシフトスピンドル２３０が回転駆動した場合であっても、クラッチ駆動遊びＬ１が解消されるまでの間、作動を開始することはない。
【００３３】
トランスミッション２４０は、エンジン１１０から発生した回転駆動力を複数の変速段（例えば、４段変速）で変速して駆動輪に伝達するための機械装置である。このトランスミッション２４０は、クラッチ２１０を介してエンジン１１０のクランクシャフト１１４に繋がるメインシャフト２４１と、駆動輪に繋がるカウンターシャフト２４２（図３においては不図示）とが互いに平行配置されるとともに、これら２つのメインシャフト２４１とカウンターシャフト２４２との間に互いに変速比の異なる複数の変速段を構成する複数のギア列が設けられて構成されている。このメインシャフト２４１とカウンターシャフト２４２との間設けられた複数のギア列は、それぞれメインシャフト２４１に設けられた複数のメインシャフトギア２４１ａとカウンターシャフト２４２に設けられた複数のカウンターシャフトギア２４２ａとでそれぞれ構成されており、これらのメインシャフトギア２４１ａとカウンターシャフトギア２４２ａとは、互いに対向するギア同士が対を構成して常に噛み合っている。
【００３４】
また、この対を構成する一方のメインシャフトギア２４１ａまたはカウンターシャフトギア２４２ａがメインシャフト２４１またはカウンターシャフト２４２に対して固定的に支持されているとともに、同対を構成する他方のカウンターシャフトギア２４２ａまたはメインシャフト２４１がカウンターシャフト２４２またはメインシャフト２４１に対して軸線方向にスライド変位可能に支持されている。また、メインシャフトギア２４１ａおよびカウンターシャフトギア２４２ａは、１つの変速段を構成する互いに隣り合うメインシャフトギア２４１ａ同士およびカウンターシャフトギア２４２ａ同士に互いに嵌合し合うドッグ２４３ａと嵌合穴２４３ｂとが互いに対向する側面に形成されている。これにより、１つの変速段を構成する互いに隣り合うメインシャフトギア２４１ａ同士およびカウンターシャフトギア２４２ａ同士がメインシャフト２４１およびカウンターシャフト２４２上で互いに連結および分離するように構成されている。
【００３５】
互いに連結および分離するメインシャフトギア２４１ａ同士およびカウンターシャフトギア２４２ａ同士の外側には、シフトフォーク２４４が設けられている。シフトフォーク２４４は、スライド変位可能なメインシャフトギア２４１ａおよびカウンターシャフトギア２４２ａを軸線方向に押圧する部品であり、メインシャフトギア２４１ａおよびカウンターシャフトギア２４２ａを包囲する二股の板状体で構成されている。このシフトフォーク２４４は、円柱体で構成されるとともに同円柱体の外周面に溝２４５ａが形成されてトランスミッション２４０の変速段に対応する回転位置に位置決めされるシフトドラム２４５に支持されている。この場合、シフトフォーク２４４は、その一部がシフトドラム２４５の外周面に形成された溝２４５ａ内に嵌まり込んでおり、シフトドラム２４５の回転駆動によって溝２４５ａに倣ってシフトドラム２４５の外周面上を軸線方向に沿ってスライド変位する。
【００３６】
このシフトドラム２４５における長手方向の一方（図示右側）の端部には、５つのシフトドラムピン２４６ａと５つの突起を有する星型形状に形成されたインデックスプレート２４６ｂがそれぞれ設けられている。そして、シフトドラム２４５は、インデックスプレート２４６ｂの谷部にインデックスアーム２４７の先端部がインデックススプリング２４７ａによって押圧されることによって回転変位が弾性的に規制されている。また、シフトドラム２４５のシフトドラムピン２４６ａには、ギアシフトアーム２４８およびギアシフトアーム駆動レバー２４９を介してシフトスピンドル２３０が連結されている。
【００３７】
ギアシフトアーム２４８は、シフトドラムピン２４６ａに引っ掛けられるフック２４８ａを回転摺動可能に備えた状態でシフトスピンドル２３０に回転摺動可能に支持されたバー部材である。フック２４８ａは、シフトドラムピン２４６ａをトランスミッション２４０のシフトアップおよびシフトダウンの各変速動作に対応した回転方向に回転させるためにシフトドラムピン２４６ａの両側に２つの鉤状部を有して構成されている。この場合、フック２４８ａにおける２つの鉤状部の各先端部とシフトドラムピン２４６ａの外周面との間には、シフト操作遊びＬ３がそれぞれ形成されている。一方、ギアシフトアーム駆動レバー２４９は、ギアシフトアーム２４８とシフトスピンドル２３０とを連結するバー部材であり、一方の端部がギアシフトアーム２４８に遊動的に連結されるとともに他方の端部がシフトスピンドル２３０に一体的に固定されている。
【００３８】
これらギアシフトアーム２４８とギアシフトアーム駆動レバー２４９とは、シフト操作遊びＬ２を介して連結されている。より具体的には、ギアシフトアーム２４８の端部には貫通孔２４８ｂが形成されているとともに、ギアシフトアーム駆動レバー２４９の端部には貫通孔２４８ｂの孔径より狭い幅で貫通孔２４８ｂ側に屈曲した屈曲片２４９ａが形成されている。そして、ギアシフトアーム駆動レバー２４９の端部に形成された屈曲片２４９ａがギアシフトアーム２４８の端部に形成された貫通孔２４８ｂ内に可動的に嵌め込まれている。なお、これらのシフト駆動遊びＬ２も、前記クラッチ駆動遊びＬ１およびシフト駆動遊びＬ３と同様に、トランスミッション２４０のシフトアップおよびシフトダウンの各変速動作に対応して屈曲片２４９ａの両側にそれぞれ形成されている。
【００３９】
また、これらのギアシフトアーム２４８およびギアシフトアーム駆動レバー２４９は、シフトスピンドル２３０に支持されたギアシフトリターンスプリング２５０によって中立位置に位置決めされている。具体的には、ギアシフトリターンスプリング２５０は、コイルスプリングの両端部がそれぞれ直線状に延びて形成されており、これら２つの両端部が動力伝達装置２００における図示しないフレームに固定された中立位置決めピン２５１、ギアシフトアーム駆動レバー２４９の屈曲片２４９ａ、およびギアシフトアーム２４８の貫通孔２４８ｂ内に形成された屈曲片２４８ｃを挟んで設けられている。これにより、ギアシフトリターンスプリング２５０は、トランスミッション２４０における変速段を構成するギア列の変更動作時にクラッチ２１０をリフトアップするために図示時計回りまたは反時計回りに回転したギアシフトアーム２４８およびギアシフトアーム駆動レバー２４９を図示反時計回りまたは時計回りに逆転させて元の中立位置に戻す。なお、図４，図６，図７においては、トランスミッション２４０の変速段のシフトアップ動作時におけるクラッチリフターレバー２２２、ギアシフトアーム２４８、ギアシフトアーム駆動レバー２４９およびシフトドラム２４５の回転方向を破線矢印でそれぞれ示している。
【００４０】
ここで、クラッチ駆動遊びＬ１、シフト操作遊びＬ２およびシフト操作遊びＬ３の関係について説明しておく。本実施形態においては、クラッチ駆動遊びＬ１、シフト操作遊びＬ２およびシフト操作遊びＬ３は、Ｌ１＜（Ｌ２＋Ｌ３）の関係となるように設定されている。したがって、本実施形態における動力伝達装置２００は、シフトスピンドル２３０の回転駆動によって先ずクラッチ２１０が作動を開始した後トランスミッション２４０が作動を開始するように構成されている。
【００４１】
ＥＣＵ３００（Engine Control Unit）は、ＣＰＵ、ＲＯＭ、ＲＡＭなどからなるマイクロコンピュータによって構成されており、ＲＯＭなどに予め記憶された図示しない制御プログラムに従って車両用動力伝達システム１００の全体の作動を総合的に制御する。具体的には、ＥＣＵ３００は、車両用動力伝達システム１００が搭載される車両のハンドル３０１に設けられたシフトチェンジスイッチ３０２から出力されるシフトチェンジ制御信号に基づいて、点火プラグ１１２、インジェクタ１１８およびシフトスピンドル駆動モータ２３１の各作動を制御してトランスミッション２４０におけるシフトアップおよびシフトダウンの各変速動作を実行する。
【００４２】
なお、このＥＣＵ３００は、車両用動力伝達システム１００だけでなく、車両用動力伝達システム１００が搭載された車両の作動を総合的に制御する。したがって、ＥＣＵ３００は、エンジン１１０および動力伝達装置２００を含むエンジン１１０の各部にエンジン１１０の作動制御に必要な情報（例えば、エンジン１１０の回転数、車速、スロットルバルブ１１７の開度、排気管内の酸素量、シフトスピンドル２３０の回転角、シフトポジションおよびクラッチリフト量など）を取得するための図示しないセンサを備えており、これらのセンサから取得した情報に基づいてエンジン１１０を含む各制御対象を制御する。なお、図１においては、これらのセンサから取得した情報の経路を破線矢印によって示している。また、シフトスピンドル駆動モータ２３１の回転駆動によって動力伝達装置２００が作動することも破線矢印で示している。
【００４３】
（車両用動力伝達システム１００の作動）
次に、上記のように構成した車両用動力伝達システム１００の作動について説明する。この車両用動力伝達システム１００は、前記したように二輪自動車両における着座シートや燃料タンクの下方に配置されて、車両の操縦者によるシフトチェンジスイッチ３０２のシフトチェンジ操作によって作動する。この操縦者によるシフトアップ操作およびシフトダウン操作による車両用動力伝達システム１００におけるシフトアップ動作およびシフトダウン動作はシフトスピンドル２３０の回転方向および同回転方向に起因する動作以外は互いに同様である。したがって、以下の作動説明においては、トランスミッション２４０のシフトアップ動作についてのみ説明するが、シフトダウン動作も同様である。
【００４４】
具体的には、車両が１段〜３段（「１速〜３速」ともいう）のうちのいずれか１つの変速段で走行中（図４参照）において、変速段を１段上げて２段〜４段（「２速〜４速」ともいう）にシフトアップする場合、車両の操縦者はハンドル３０１に設けられたシフトチェンジスイッチ３０２を操作してＥＣＵ３００に対してシフトアップを指示する。このシフトアップ操作に対する車両用動力伝達システム１００におけるシフトアップ動作の過程を図５に示すタイムチャートを参照しながら説明する。
【００４５】
操縦者によりシフトチェンジスイッチ３０２に対してシフトアップ操作がなされると、シフトチェンジスイッチ３０２はＥＣＵ３００に対してシフトアップを表すシフトチェンジ制御信号であるシフトアップ制御信号を出力する（タイミングＴ１）。ＥＣＵ３００は、シフトチェンジスイッチ３０２から出力されたシフトアップ制御信号を入力すると直ちに、点火プラグ１１２に対して点火タイミングを遅らせるための点火時期制御信号を出力する。この場合、ＥＣＵ３００は、点火プラグ１１２における通常の点火タイミング（上死点より１５〜３５°進角）より１０〜２０°遅角のタイミングで点火するように点火プラグ１１２を制御する。これにより、シリンダ１１１内での混合気の点火タイミングが最適タイミングより次第に遅れるため、エンジン１１０から発生する回転駆動力は低下する。なお、このシフトチェンジスイッチ３０２に対する操縦者によるシフトチェンジ操作に際しては、通常、予め操縦者によるアクセル操作が解除される。
【００４６】
次に、ＥＣＵ３００は、シフトスピンドル駆動モータ２３１に対してトランスミッション２４０における変速段のシフトアップ動作に対応した回転方向にシフトスピンドル２３０を回転駆動させるための回転駆動信号を出力する。この指示に応答してシフトスピンドル駆動モータ２３１は、トランスミッション２４０のシフトアップ動作に対応した回転方向に回転駆動を開始してシフトスピンドル２３０を回転駆動させる。これにより、シフトスピンドル２３０が回転駆動すると、このシフトスピンドル２３０に固定されたクラッチリフターレバー２２２およびギアシフトアーム駆動レバー２４９がそれぞれ回転駆動する（図４，図６，図７において破線矢印参照）。
【００４７】
この場合、クラッチリフターレバー２２２と可動クラッチリフター２２１との間にはクラッチ駆動遊びＬ１があり、ギアシフトアーム駆動レバー２４９とギアシフトアーム２４８との間にはシフト操作遊びＬ２があり、ギアシフトアーム２４８に連結されたフック２４８ａとシフトドラムピン２４６ａとの間にはシフト操作遊びＬ３がある。そして、これらのクラッチ駆動遊びＬ１、シフト操作遊びＬ２およびシフト操作遊びＬ３の間には、Ｌ１＜（Ｌ２＋Ｌ３）の関係がある。したがって、車両用動力伝達システム１００は、シフトスピンドル２３０の回転駆動後、クラッチリフターレバー２２２がクラッチ駆動遊びＬ１を詰めるロストモーションの後、先ず、クラッチ２１０におけるフリクションプレート２１１とクラッチプレート２１２とが離隔、すなわちクラッチ２１０のリフト量が増加し始める（タイミングＴ２）。
【００４８】
一方、トランスミッション２４０は、ギアシフトアーム駆動レバー２４９がシフト操作遊びＬ２を詰めるロストモーション、および同シフト操作遊びＬ２が詰められるロストモーションに続くギアシフトアーム２４８に連結されたフック２４８ａがシフト操作遊びＬ３を詰めるロストモーションを経て作動を開始する。より具体的には、トランスミッション２４０は、図６に示すように、シフト操作遊びＬ２，Ｌ３を詰める２つの連続するロストモーションの後、すなわち、クラッチ２１０のリフト量が増加し始めた（Ｔ２）後にシフトドラムピン２４６ａがフック２４８ａによって引かれ始めて変速段のシフトアップ動作が開始する（タイミングＴ３）。
【００４９】
このトランスミッション２４０における変速段のシフトアップ動作は、メインシャフトギア２４１ａ同士およびカウンターシャフトギア２４２ａ同士におけるシフトアップ前のギア列の連結状態を解消する「ギアの抜き工程」と、このシフトアップ前の連結状態とは異なるシフトアップ後のギア列の連結状態とする「ギアの連結工程」とで構成されており、これら２つの工程はインデックスプレート２４６ｂの突起が一山分だけ回転する間に行われる。なお、図６においては、可動クラッチリフター２２１の初期位置を二点鎖線で示している。
【００５０】
また、このトランスミッション２４０における変速段のシフトアップ動作の開始と同時に、ＥＣＵ３００は、インジェクタ１１８に対して燃料供給（噴射）の停止を指示する燃料噴射制御信号を出力する（タイミングＴ３）。この指示に応答してインジェクタ１１８は、燃焼室を構成するシリンダ１１１内への燃料供給を停止する。これにより、エンジン１１０から発生する回転駆動力がより一層低下する。
【００５１】
変速段のシフトアップ動作を開始したトランスミッション２４０は、シフトドラムピン２４６ａおよびインデックスプレート２４６ｂの回転駆動を介したシフトドラム２４５の回転駆動によるシフトフォーク２４４のスライド変位によってギアの抜き工程が行われる。この場合、ギアの抜き工程は、互いに嵌りあうメインシャフトギア２４１ａ同士およびカウンターシャフトギア２４２ａ同士におけるドッグ２４３ａが嵌合穴２４３ｂから抜けることにより行なわれる。
【００５２】
そして、このギアの抜き工程の実行時においては、点火プラグ１１２における点火タイミングがずらされているとともに、クラッチ２１０におけるリフトアップの開始によってエンジン１１０からトランスミッション２４０に伝達される回転駆動力が低下されているため、ギアの抜き工程が実行し易くなっている。また、これらに加えて、ギアの抜き工程の開始と同時にインジェクタ１１８による燃料供給が停止するため、より一層ギアの抜き工程が実行し易くなる。
【００５３】
これらにより、図７に示すように、トランスミッション２４０は、クラッチ２１０がエンジン１１０からの回転駆動力を実質的にトランスミッション２４０側に伝達不能となる程度にまでフリクションプレート２１１とクラッチプレート２１２とが離隔した状態、すなわち、クラッチが切れる状態（タイミングＴ５）となる前までにギアの抜き工程が完了する（タイミングＴ４）。これにより、トランスミッション２４０は、変速前の変速段を構成するギア列による駆動力の伝達状態が解消する。なお、図７においては、クラッチリフターレバー２２２の初期位置とクラッチ２２０が実質的にリフトアップした場合（タイミングＴ５）における可動クラッチリフター２２１の位置を二点鎖線で示している。
【００５４】
次いで、トランスミッション２４０は、シフトドラム２４５の連続的な回転駆動によってギアの抜き工程に続けてギアの連結工程を実行する。この場合、ギアの連結工程は、シフトアップ後の変速段を構成するメインシャフトギア２４１ａ同士およびカウンターシャフトギア２４２ａ同士におけるドッグ２４３ａを嵌合穴２４３ｂに挿し込むことにより行なわれる。そして、このギアの連結工程の実行時においては、クラッチ２１０は所謂クラッチが切れた状態であるため、ギアの連結工程は円滑に行われる。これにより、トランスミッション２４０における変速段のシフトアップ動作が完了する（タイミングＴ６）。なお、本実施形態においては、図５に示すように、ギアの連結工程は、クラッチ２１０のリフト量が最大量に達する前に完了するが、ギアの連結工程の完了するタイミングとクラッチ２１０のリフト量が最大量に達するタイミングとはどちらが先であっても構わない。
【００５５】
そして、トランスミッション２４０における変速段のシフトアップ動作が完了した後、ＥＣＵ３００は、シフトスピンドル駆動モータ２３１、点火プラグ１１２およびインジェクタ１１８に対して復帰を指示する制御信号をそれぞれ出力する。具体的には、ＥＣＵ３００は、シフトスピンドル駆動モータ２３１に対してシフトアップ動作のために回転駆動した回転量と同じ回転量をシフトアップ動作時とは逆方向に回転駆動させるための回転駆動信号を出力する。これにより、シフトスピンドル２３０の回転方向における位置がシフトアップ動作の前の位置に復帰するとともに、このシフトスピンドル２３０に固定されたクラッチリフターレバー２２２およびギアシフトアーム駆動レバー２４９もシフトアップ動作の前の位置に復帰する。
【００５６】
この結果、クラッチ２１０は、リフト量が次第に減少してフリクションプレート２１１とクラッチプレート２１２とが密着していくことにより、エンジン１１０からの回転駆動力が伝達される状態、すなわち、クラッチが入る状態への移行を開始する（タイミングＴ７）。この場合、エンジン１１０からの回転駆動力を不十分ながら実質的に伝達し始めた状態、すなわち、半クラッチの状態においてＥＣＵ３００は、点火プラグ１１２に対して点火タイミングを通常の点火タイミング（上死点より１５〜３５°進角）に復帰させる点火時期制御信号を出力する（タイミングＴ８）。これにより、シリンダ１１１内での混合気の点火タイミングが次第に最適タイミングに復帰するため、エンジン１１０から発生する回転駆動力が増大する。この点火プラグ１１２における点火タイミングの復帰は、クラッチ２１０におけるクラッチが完全に入るタイミングに間に合うように実行される。
【００５７】
次に、ＥＣＵ３００は、インジェクタ１１８に対して燃料供給（噴射）の噴射の再開を指示する燃料噴射制御信号を出力する（タイミングＴ９）。この指示に応答してインジェクタ１１８は、シリンダ１１１内への燃料供給を再開する。これにより、エンジン１１０から発生する回転駆動力が増大し始める。これにより、車両用動力伝達システム１００における一連のシフトアップ動作が完了する。
【００５８】
上記作動説明からも理解できるように、上記実施形態によれば、車両用動力伝達システム１００は、トランスミッション２４０の変速動作時におけるメインシャフト２４１とカウンターシャフト２４２との間の駆動力の伝達を遮断する前にメインシャフト２４１に伝達されるエンジン１１０からの駆動力を低下させるためにシフトスピンドル駆動モータ２３１、点火プラグ１１２およびインジェクタ１１８の作動を制御するＥＣＵ３００を備えるとともに、ＥＣＵ３００によるメインシャフト２４１への駆動力の低下後であってかつクラッチ２１０における駆動力の伝達が遮断される前にトランスミッション２４０がメインシャフト２４１とカウンターシャフト２４２との間の駆動力の伝達を遮断する。すなわち、本発明に係る車両用動力伝達システム１００は、トランスミッションの変速動作時において、クラッチ２１０における駆動力の伝達状態に拘らずエンジン１１０からの駆動力を低下させた状態でギアの変速動作を開始してクラッチ２１０における駆動力の伝達が遮断される前にトランスミッション２４０における変速前の変速段を構成するギア列による駆動力の伝達状態を解消する。これにより、クラッチ２１０における駆動力の伝達を遮断した後にトランスミッション２４０における変速動作を開始する従来の動力伝達装置に比べて迅速にトランスミッション２４０における変速動作を完了することができるとともに、この変速動作時に操縦者に与える所謂トルク抜けによる不快感を軽減することができる。
【００５９】
さらに、本発明の実施にあたっては、上記実施形態に限定されるものではなく、本発明の目的を逸脱しない限りにおいて種々の変更が可能である。なお、下記に示す各変形例においては、上記実施形態における車両用動力伝達システム１００と同様の構成部分には車両用動力伝達システム１００に付した符号に対応する符号を付して、その説明は省略する。
【００６０】
例えば、上記実施形態においては、シフトスピンドル２３０は、シフトスピンドル駆動モータ２３１によって回転駆動するように構成されている。しかし、シフトスピンドル２３０は、車両の操縦者の手足による手動操作によって機械的に回転駆動させることもできる。この場合、ＥＣＵ３００は、シフトスピンドル２３０の回転角度を検出することにより点火プラグ１１２およびインジェクタ１１８の作動を上記実施形態と同様に制御するように構成するとよい。
【００６１】
また、上記実施形態においては、トランスミッション２４０によるシフトアップ動作に先駆けて点火プラグ１１２における点火タイミングの遅延およびクラッチ２１０におけるリフトアップを実行した。すなわち、点火タイミングをずらす制御を実行するＥＣＵ３００、クラッチ駆動遊びＬ１を備えたクラッチ作動機構である可動クラッチリフター２２１およびクラッチリフターレバー２２２、およびシフト操作遊びＬ２，Ｌ３を備えたトランスミッション作動機構であるギアシフトアーム２４８およびギアシフトアーム駆動レバー２４９が本発明に係る伝達駆動力低下手段に相当する。しかし、伝達駆動力低下手段は、トランスミッション２４０によるシフトアップ動作に先駆けてエンジン１１０の回転駆動力を低下させる構成であれば、上記実施形態に限定されるものではない。
【００６２】
この場合、エンジン１１０の回転駆動力の低下には、回転駆動力自体を低下させる場合と、トランスミッションに伝達される回転駆動力の伝達量を低下させる場合とがある。例えば、伝達駆動力低下手段は、エンジン１１０への燃料の供給量を減じる、エンジン１１０での燃料への点火タイミングをずらす、およびクラッチ２１０におけるリフトアップを行なうなどの動作をそれぞれ単体で、またはこれらを適宜組み合わせて構成することができる。また、これらを実行する順番も適宜設定することができる。なお、エンジン１１０への燃料の供給量を減じる場合には、上記実施形態のように供給燃料を完全にカットしてもよいし、現状の燃料供給量を完全にカットしない範囲で減じるようにしてもよい。
【００６３】
これらの場合、伝達駆動力低下手段は、クラッチ２１０における駆動力の伝達の遮断が完了する前にエンジン１１０への燃料の供給量を減じるとよい。これによれば、クラッチ２１０における駆動力の伝達が遮断される前にメインシャフト２４１に伝達されるエンジン１１０からの駆動力が低下するため、トランスミッション２４０における駆動力の伝達の遮断を円滑に行なうことができる。
【００６４】
また、これらの場合、伝達駆動力低下手段は、エンジン１１０への燃料の供給量を減じる前にエンジン１１０での燃料への点火タイミングをずらすとよい。これにより、エンジン１１０への燃料の供給量を減じることによる急激な駆動力の低下を防止しながらエンジン１１０の駆動力を低下させることができため、車両の乗員への不快感を抑えながら円滑にトランスミッション２４０における駆動力の伝達の遮断することができる。
【００６５】
なお、上記実施形態においては、トランスミッション２４０によるシフトアップ動作に先駆けてクラッチ２１０におけるリフトアップを実行したが、前記したように、トランスミッション２４０によるシフトアップ動作に先駆けてエンジン１１０の回転駆動力を低下させる構成であればよく、例えば、トランスミッション２４０によるシフトアップ動作開始後にクラッチ２１０におけるリフトアップを開始する構成とすることができるのは当然である。
【００６６】
すなわち、上記実施形態においては、クラッチ駆動遊びＬ１の量は、シフト操作遊びＬ２，Ｌ３の合算量よりも少なく設定した。これにより、シフトスピンドル２３０の回転駆動によって、先ず、クラッチ２１０が作動した後にトランスミッション２４０が作動を開始する。しかし、前記したように、トランスミッション２４０によるシフトアップ動作に先駆けてエンジン１１０の回転駆動力を低下させる構成であればよいため、例えば、点火タイミングの遅延や燃料の供給量のカットによりエンジン１１０の回転駆動力を予め低下させておけば、ランスミッション２４０によるシフトアップ動作開始後にクラッチ２１０におけるリフトアップを開始する構成とすることができる。この場合、クラッチ駆動遊びＬ１の量は、シフト操作遊びＬ２，Ｌ３の合算量より大きく設定することになる。なお、シフト操作遊びＬ２，Ｌ３は、必ずしも２つの遊びで構成される必要はなくシフト操作遊びＬ２またはシフト操作遊びＬ３で構成されていてもよいし、３つ以上の遊びで構成されていてもよい。また、クラッチ駆動遊びＬ１も２つ以上の遊びで構成されていてもよい。
【００６７】
また、上記実施形態において、車両用動力伝達システム１００は、さらに、ギアシフトアーム２４８とシフトドラムピン２４６ａとの間、および／またはギアシフトアーム２４８とギアシフトアーム駆動レバー２４９との間のシフト操作遊びＬ２，Ｌ３を詰めるためのプリロードスプリングを備えて構成してもよい。例えば、図８に示すように、車両用動力伝達システム１００は、ギアシフトアーム２４８とギアシフトアーム駆動レバー２４９との間にシフト操作遊びＬ２を詰めるためのプリロードスプリング２５２を備えて構成することができる。
【００６８】
プリロードスプリング２５２は、前記ギアシフトリターンスプリング２５０と同様のコイルスプリングで構成されており、シフトスピンドル２３０上に支持されている。このプリロードスプリング２５２は、コイルスプリングの両端部がギアシフトアーム駆動レバー２４９の屈曲片２４９ａ、およびギアシフトアーム２４８の屈曲片２４８ｃを挟んで設けられている。これにより、シフト操作遊びＬ２を形成するギアシフトアーム駆動レバー２４９の屈曲片２４９ａとギアシフトアーム２４８の貫通孔２４８ｂ内周面とがプリロードスプリング２５２の弾性力によって接触している。一方、上記実施形態におけるギアシフトリターンスプリング２５０は、コイルスプリングの両端部が中立位置決めピン２５１およびギアシフトアーム駆動レバー２４９の屈曲片２４９ａを挟んで設けられている。
【００６９】
このようなプリロードスプリング２５１を備えた車両用動力伝達システム１００のシフトアップ動作の過程を図８に示す。これによれば、車両用動力伝達システム１００は、トランスミッション２４０を駆動するためのシフト操作遊びＬ２の量がプリロードスプリング２５１によって詰められている。すなわち、シフトアップ動作時にギアシフトアーム駆動レバー２４９の屈曲片２４９ａが接触して押圧するギアシフトアーム２４８の貫通孔２４８ｂの内周面に当初から屈曲片２４９ａが接触した状態で設けられている。
【００７０】
このため、トランスミッション２４０は、シフトスピンドル２３０の回転駆動後、シフト操作遊びＬ３のロストモーションの終了と同時に直ちに変速動作が開始可能な状態となる（タイミングＰ１）。そして、トランスミッション２４０は、エンジン１１０から駆動力が点火タイミングの遅延やクラッチ２１０のリフトアップなどによって低下して変速動作が可能、すなわち、変速前の変速段を構成するギア列による駆動力の伝達状態が解消可能な状態となった瞬間（エリアＰ）に直ちにギア列による駆動力の伝達状態の解消が実行される。これにより、より迅速にトランスミッション２４０における変速動作を行なうことができる。
【符号の説明】
【００７１】
Ｌ１…クラッチ駆動遊び、Ｌ２，Ｌ３…シフト操作遊び、
１００…車両用動力伝達システム、
１１０…エンジン、１１１…シリンダ、１１２…点火プラグ、１１３…ピストン、１１４…クランクシャフト、１１４ａ…プライマリードライブギア、１１５…吸気バルブ、１１６…吸気管、１１７…スロットルバルブ、１１８…インジェクタ、
２００…動力伝達装置、２０１…クラッチケース、
２１０…クラッチ、２１１…フリクションプレート、２１２…クラッチプレート、２１３…クラッチシェル、２１４…クラッチハブ、２１５…プライマリードリブンギア、２１６…クラッチスプリング、２１７ａ，２１７ｂ…プレッシャプレート、
２２０…固定クラッチリフター、２２１…可動クラッチリフター、２２１ａ…貫通孔、２２２…クラッチリフターレバー、２２２ａ…ボス、
２３０…シフトスピンドル、２３１…シフトスピンドル駆動モータ、
２４０…トランスミッション、２４１…メインシャフト、２４２…カウンターシャフト、２４３ａ…ドッグ、２４３ｂ…嵌合穴、２４４…シフトフォーク、２４５…シフトドラム、２４５ａ…溝、２４６ａ…シフトドラムピン、２４６ｂ…インデックスプレート、２４７…インデックスアーム、２４７ａ…インデックススプリング、２４８…ギアシフトアーム、２４８ａ…フック、２４８ｂ…貫通孔、２４８ｃ…屈曲片、２４９…ギアシフトアーム駆動レバー、２４９ａ…屈曲片、２５０…ギアシフトリターンスプリング、２５１…中立位置決めピン、２５２…プリロードスプリング、
３００…ＥＣＵ、３０１…ハンドル、３０２…シフトチェンジスイッチ。
【図１】
2013014748.tif 000003
【図２】
2013014748.tif 000004
【図３】
2013014748.tif 000005
【図４】
2013014748.tif 000006
【図５】
2013014748.tif 000007
【図６】
2013014748.tif 000008
【図７】
2013014748.tif 000009
【図８】
2013014748.tif 000010
【図９】
2013014748.tif 000011
【国際調査報告】
2013014748.tif 000012
2013014748.tif 000013
2013014748.tif 000014
2013014748.tif 000015